(57)【要約】【課題】ユーザが命令を発声している間、該命令を受け付けているかどうか確認できるようにしたテレビ受像機を提供する。【解決手段】ＴＶ１は、TV１全体の制御を行う制御部１１と、テレビ放送信号を処理するチューナ１２と、テレビ放送信号から映像信号と音声信号とを分離抽出する映像／音声切換部１３と、ＯＳＤを映像信号に重畳するＯＳＤ処理部１４と、映像信号を表示部１６に出力する映像処理部１５と、映像を表示する表示部１６と、音声信号を音声出力部１８に出力する音声処理部１７と、音声を外部に発生する音声出力部１８と、操作部１９と、エージェントPGを記憶する記憶部２１と、キャラクター画像を記憶するOSD画像メモリ２２と、音声入力手段である音声入力部３０と、入力音声から雑音を除去する音響処理部３１と、音声認識手段である音声認識部３２と、認識結果処理手段である認識結果処理部３３と、記憶手段である記憶部３４と、を備える。【選択図】  図４
2007020079.tif 000002
【特許請求の範囲】
【請求項１】
ユーザが発声した音声が入力される音声入力手段と、
前記音声入力手段から入力された前記音声を認識する音声認識手段と、を備えたテレビ受像機において、
前記音声認識手段は、前記音声入力手段から入力された音声を認識している間、該音声を認識している旨の信号を生成して出力し、
前記音声認識手段が出力した前記音声を認識している旨の信号を受信すると、音声を認識している旨を報知し、
電源のON／OFF、チャンネルの切り替え、又は音量調整等の命令の音声に予め対応付けされた制御コードを記憶するコード記憶手段と、
前記音声認識手段が認識した前記音声に対応する制御コードを前記コード記憶手段から検索し、対応する制御コードを読み出せた場合、該制御コードの信号を生成して出力し、対応する制御コードを読み出せない場合、読み出せなかった旨の信号を生成して出力する認識結果処理手段と、を備え、
前記報知手段は、前記認識結果処理手段が出力した前記制御コードの信号を受信すると、命令を受け付けた旨を報知し、前記認識結果処理手段が出力した前記読み出せなかった旨の信号を受信すると、命令を受け付けることができなかった旨を報知し、
ユーザの命令入力をアシストするエージェントプログラムと、該エージェントプログラムで定義されるキャラクターと、を記憶する記憶手段を備え、
前記報知手段は、前記音声認識手段が前記音声を認識している旨の信号を出力すると、前記記憶手段に記憶されている前記エージェントプログラムを実行して、前記キャラクターの画像をOSD表示し、前記音声を認識している旨と前記命令を受け付けた旨と前記命令を受け付けることができなかった旨とを該キャラクターの言動により報知し、
装置本体を遠隔操作するリモコン装置を備え、
前記リモコン装置は、前記音声入力手段と、前記音声認識手段と、前記コード記憶手段と、前記認識結果処理手段と、前記音声認識手段が出力する前記音声を認識している旨の信号、並びに前記認識結果処理手段が出力する前記制御コードの信号、及び前記読み出せなかった旨の信号を送信する送信手段と、を有するテレビ受像機。
【請求項２】
ユーザが発声した音声が入力される音声入力手段と、
前記音声入力手段から入力された前記音声を認識する音声認識手段と、を備えたテレビ受像機において、
前記音声認識手段は、前記音声入力手段から入力された音声を認識している間、該音声を認識している旨の信号を生成して出力し、
前記音声認識手段が出力した前記音声を認識している旨の信号を受信すると、音声を認識している旨を報知する報知手段を備えたテレビ受像機。
【請求項３】
電源のON／OFF、チャンネルの切り替え、又は音量調整等の命令の音声に予め対応付けされた制御コードを記憶するコード記憶手段と、
前記音声認識手段が認識した前記音声に対応する制御コードを前記コード記憶手段から検索し、対応する制御コードを読み出せた場合、該制御コードの信号を生成して出力し、対応する制御コードを読み出せない場合、読み出せなかった旨の信号を生成して出力する認識結果処理手段と、を備え、
前記報知手段は、前記認識結果処理手段が出力した前記制御コードの信号を受信すると、命令を受け付けた旨を報知し、前記認識結果処理手段が出力した前記読み出せなかった旨の信号を受信すると、命令を受け付けることができなかった旨を報知する請求項２に記載のテレビ受像機。
【請求項４】
ユーザの命令入力をアシストするエージェントプログラムと、該エージェントプログラムで定義されるキャラクターと、を記憶する記憶手段を備え、
前記報知手段は、前記音声認識手段が前記音声を認識している旨の信号を出力すると、前記記憶手段に記憶されている前記エージェントプログラムを実行して、前記キャラクターの画像をOSD表示し、該キャラクターの言動により報知する請求項２または３に記載のテレビ受像機。
【請求項５】
装置本体を遠隔操作するリモコン装置を備え、
前記リモコン装置は、前記音声入力手段と、前記音声認識手段と、前記コード記憶手段と、前記認識結果処理手段と、前記音声認識手段が出力する前記音声を認識している旨の信号、並びに前記認識結果処理手段が出力する前記制御コードの信号、及び前記読み出せなかった旨の信号を送信する送信手段と、を有する請求項３または４に記載のテレビ受像機。
【発明の詳細な説明】
【技術分野】
【０００１】
本発明は、テレビ放送信号等の映像を表示出力するテレビ受像機に関し、特に、ユーザが発声した音声を認識し、該音声により装置本体を制御するテレビ受像機に関するものである。
【背景技術】
【０００２】
入力された音声を認識する音声認識技術には、ワードスポッティングと呼ばれる発話中の音声から単語らしい部分を抜き出す手法や、ＨＭＭ（Ｈｉｄｄｅｎ  Ｍａｒｃｏｖ  Ｍｏｄｅｌ）を用いた連続音声を認識する手法等がある。
【０００３】
従来のテレビ受像機には、該テレビ受像機を遠隔操作する赤外線ワイヤレスリモコンが一般に普及しているが、上記音声認識技術を採用し、音声により該テレビ受像機を遠隔操作するものも存在する。
【０００４】
例えば、ユーザが、電源のON／OFF、チャンネルの切り替え、又は音量調整等の命令の音声を発声すると、従来のテレビ受像機は、該音声をマイクロホンなどで収音し、該音声を認識する。そして、該音声に従って、電源のON／OFF、チャンネルの切り替え、又は音量調整等の命令を実行する。
【０００５】
一方、特許文献１に記載されたような空気調和機の制御方式が提案されている。
【０００６】
この空気調和機の制御方式は、ユーザが発声した音声による運転開始、停止等の命令を空気調和機が受け付けたとき、空気調和機側にてその命令を実行する旨を予告表示し、該予告表示に対する許可の命令をユーザが再度発声した場合にのみ、該予告表示された動作を実行する方式である。
【特許文献１】特開平４−２７８１４１号公報
【発明の開示】
【発明が解決しようとする課題】
【０００７】
しかしながら、上記音声認識技術は、ユーザが命令である単語を全て発声するまで、該単語を認識することができない。
【０００８】
そのため、上記音声認識技術を採用する従来のテレビ受像機においては、該テレビ受像機の命令の実行によってユーザの命令を受け付けていることを確認できるものの、ユーザが命令を発声している間、該テレビ受像機が本当に命令を受け付けているかどうか確認できなかった。従って、ユーザが命令を発声している間、該テレビ受像機が本当に命令を受け付けているかどうか分からず、ユーザに不安感を与えていた。
【０００９】
また、特許文献１においても、ユーザが命令を全て発声し終えてから空気調和機側にてその命令を実行する旨を予告表示しており、ユーザが命令を発声している間、空気調和機側が本当に命令を受け付けているかどうか確認できない点同様である。
【００１０】
本発明はこのような従来の課題を解決しようとするものであり、ユーザが命令を発声している間、該命令を受け付けているかどうか確認できるようにしたテレビ受像機を提供することを目的とする。
【課題を解決するための手段】
【００１１】
本発明のテレビ受像機は、前記課題を解決するために以下の構成を備えている。
（１）ユーザが発声した音声が入力される音声入力手段と、
前記音声入力手段から入力された前記音声を認識する音声認識手段と、を備えたテレビ受像機において、
前記音声認識手段は、前記音声入力手段から入力された音声を認識している間、該音声を認識している旨の信号を生成して出力し、
前記音声認識手段が出力した前記音声を認識している旨の信号を受信すると、音声を認識している旨を報知する報知手段を備える。
【００１２】
この構成において、音声入力手段は、ユーザが発声した音声を収音可能であり、例えばマイクロホンで構成される。音声入力手段は、必ずしもテレビ受像機の筐体内部にある必要はなく、筐体外部にあってもよい。
【００１３】
報知手段は、例えばOSD表示、LED（Light  Emitting  Diode）、又は音声により、報知する。具体的な報知方法については、後述の（２）において説明する。
【００１４】
以上より、ユーザが命令を発声している間、該命令を受け付けているかどうか確認できる。従って、ユーザに該命令を受け付けているという安心感を与える。
（２）電源のON／OFF、チャンネルの切り替え、又は音量調整等の命令の音声に予め対応付けされた制御コードを記憶するコード記憶手段と、
前記音声認識手段が認識した前記音声に対応する制御コードを前記コード記憶手段から検索し、対応する制御コードを読み出せた場合、該制御コードの信号を生成して出力し、対応する制御コードを読み出せない場合、読み出せなかった旨の信号を生成して出力する認識結果処理手段と、を備え、
前記報知手段は、前記認識結果処理手段が出力した前記制御コードの信号を受信すると、命令を受け付けた旨を報知し、前記認識結果処理手段が出力した前記読み出せなかった旨の信号を受信すると、命令を受け付けることができなかった旨を報知する。
【００１５】
上記（１）では、音声を認識している旨を報知するのみであったが、ここではさらに、命令を受け付けた旨、及び命令を受け付けることができなかった旨を報知する。そして、報知手段は、例えばOSD表示、LED、又は音声により、これらを報知する。
【００１６】
OSD表示を用いた報知は、例えば、音声を認識している旨を「音声解析中」と、命令を受け付けた旨を「コマンド受付完了」又は「了解」と、又命令を受け付けることができなかった旨を「コマンド不明」又は「もう一度お願い」と、OSD表示することにより行う。
【００１７】
また、LEDを用いた報知は、例えば、音声を認識している旨を「LEDを緑色に点灯させる」ことにより、命令を受け付けた旨を「LEDを青色に点灯させる」ことにより、又命令を受け付けることができなかった旨を「LEDを赤色に点滅させる」ことにより、行う。
【００１８】
また、音声を用いた報知は、例えば、音声を認識している旨を「音声解析中」と、命令を受け付けた旨を「コマンド受付完了」又は「了解」と、又命令を受け付けることができなかった旨を「コマンド不明」又は「もう一度お願い」と、音声により発することにより行う。該音声は、装置本体内蔵のスピーカから発すると良い。
（３）ユーザの命令入力をアシストするエージェントプログラムと、該エージェントプログラムで定義されるキャラクターと、を記憶する記憶手段を備え、
前記報知手段は、前記音声認識手段が前記音声を認識している旨の信号を出力すると、前記記憶手段に記憶されている前記エージェントプログラムを実行して、前記キャラクターの画像をOSD表示し、該キャラクターの言動により報知する。
【００１９】
上記報知手段は、音声を認識していること、命令を受け付けたこと、及び命令を受け付けることができなかったことをキャラクターの言動により報知する。
【００２０】
上記キャラクターの言動による報知は、例えば、音声を認識している旨を「キャラクターにふむふむと言わせる」又は「キャラクターの耳をピクピクさせる」ことにより、命令を受け付けた旨を「キャラクターに了解と言わせる」又は「キャラクターの顔を長細くさせる」ことにより、又命令を受け付けることができなかった旨を「キャラクターにもう一度お願いと言わせる」又は「キャラクターの顔を悩んでいる様子にさせる」ことにより、行う。
【００２１】
以上より、ユーザが命令を発声している間、キャラクターの言動により、該命令を受け付けているかどうか確認できる。従って、ユーザに該命令を受け付けているという安心感を与える。
【００２２】
また、ユーザは、表示されるキャラクターとの対話形式により、命令を発声することができる。
（４）装置本体を遠隔操作するリモコン装置を備え、
前記リモコン装置は、前記音声入力手段と、前記音声認識手段と、前記コード記憶手段と、前記認識結果処理手段と、前記音声認識手段が出力する前記音声を認識している旨の信号、並びに前記認識結果処理手段が出力する前記制御コードの信号、及び前記読み出せなかった旨の信号を送信する送信手段と、を有する。
【００２３】
この構成においては、ユーザは、リモコン装置の音声入力手段に音声を発声することになる。
【発明の効果】
【００２４】
この発明によれば、ユーザが命令を発声している間、キャラクターの言動により、該命令を受け付けているかどうか確認できる。
【発明を実施するための最良の形態】
【００２５】
以下、本発明の実施形態であるテレビジョンについて説明する。
【００２６】
図１は、ユーザが命令を発声している間において該命令である音声を認識している旨の報知をキャラクターが行っている様子を表した概念図である。図２は、ユーザが命令を発声し終えた時において該命令を受け付けた旨の報知をキャラクターが行っている様子を表した概念図である。図３は、ユーザが命令を発声し終えた時において該命令を受け付けることができなかった旨の報知をキャラクターが行っている様子を表した概念図である。
【００２７】
ＴＶ（テレビジョン）１は、映像を表示するＣＲＴ１６Aと、音声を収音するマイクロホン等の音声入力部３０と、を備えている。
【００２８】
ユーザ２が、図１に示すように、「いっちゃ・・」と、命令（コマンド）を発声し始めると、ＴＶ１は、キャラクター３の画像をＣＲＴ１６A上にOSD表示する。そして、キャラクター３は、ユーザ２が命令を発声している間、該命令である音声を認識している旨を「ふむふむと言う」又は「耳をピクピクさせる」ことにより、報知する。
【００２９】
次に、ユーザ２が、「いっちゃん（１CH）」と、命令を発声し終え、ＴＶ１が該命令を受け付けると、キャラクター３は、図２に示すように、該命令を受け付けた旨を「了解！！と言う」又は「顔を長細くさせる」ことにより報知する。そして、ＴＶ１は、チャンネルを１に切り替える。
【００３０】
一方、ユーザ２が、「いっちゃん（１CH）」と、命令を発声し終えても、ＴＶ１が該命令を受け付けることができなかった場合、キャラクター３は、図３に示すように、該命令を受け付けることができなかった旨を「もう一度お願いと言う」又は「悩んでいる顔にする」ことにより報知する。そして、ユーザ２に、もう一度命令（コマンド）を発声させる。
【００３１】
このように、ユーザ２は、表示されるキャラクター３との対話形式により、ＴＶ１を遠隔制御する。
【００３２】
図４は、本発明の第一の実施形態であるテレビジョンの主要な構成を示すブロック図である。
【００３３】
ＴＶ１は、TV１全体の制御を行う制御部１１と、テレビ放送信号を処理するチューナ１２と、テレビ放送信号から映像信号と音声信号とを分離抽出する映像／音声切換部１３と、所望のＯＳＤを映像信号に重畳するＯＳＤ処理部１４と、映像信号を表示部１６に出力する映像処理部１５と、ＣＲＴ１６Aで映像を表示する表示部１６と、音声信号を増幅し音声出力部１８に出力する音声処理部１７と、音声を外部に発生する音声出力部１８と、ユーザが音量の調整等を行う操作部１９と、記憶手段である記憶部２１と、キャラクター画像を記憶するOSD画像メモリ２２と、を備えている。
【００３４】
さらに、ＴＶ１は、音声入力手段である音声入力部３０と、該音声入力部３０で入力された音声から雑音を除去する音響処理部３１と、音声認識手段である音声認識部３２と、認識結果処理手段である認識結果処理部３３と、コード記憶手段である記憶部３４と、を備えている。
【００３５】
操作部１９に対し、電源のON／OFF、チャンネルの切り替え、音量の調整等の命令（コマンド）が入力されると、操作部１９は、該命令を制御部１１に伝送する。
【００３６】
チューナ１２は、アンテナ２０で受信しているテレビ放送信号から選択されているチャンネルのテレビ放送信号を抽出し、出力する。
【００３７】
映像／音声切換部１３は、チューナ１２から出力されたテレビ放送信号を、映像信号と音声信号とに分離抽出し、出力する。
【００３８】
映像／音声切換部１３から出力された映像信号は、ＯＳＤ処理部１４を介して、映像処理部１５に入力される。
【００３９】
ＯＳＤ処理部１４は、制御部１１から与えられる制御信号に基づいて、OSD画像メモリ２２に記憶されているキャラクター３の画像や該キャラクター３の応答メッセージ（図１〜３参照）を映像信号に重畳する。OSD画像メモリ２２は、例えばROMで構成される。
【００４０】
映像処理部１５は、映像／音声切換部１３が出力した映像信号を出力し、表示部１６は映像を表示する。
【００４１】
音声処理部１７は、映像／音声切換部１３が出力した音声信号の増幅を行って音声出力部１８に出力する。そして、音声出力部１８は音声を外部に発生する。音声出力部１８は、例えばスピーカである。
【００４２】
TV１の各部には、不図示の電源部から電源が供給されている。この電源部の入力は、商用電源（例えばAC１００V）である。
【００４３】
ここで、制御部１１、ＯＳＤ処理部１４、映像処理部１５、表示部１６、及びOSD画像メモリ２２が、本発明の「報知手段」に相当する。
【００４４】
一方、音声入力部３０は、ユーザが発声した音声を収音可能であり、例えばマイクロホンで構成される。音声入力部３０は、ユーザが発声した音声（以下、「ユーザ音声」と称する）又は周囲の雑音からなる音声が入力されると、該音声を音声信号に変換して音響処理部３１へ出力する。
【００４５】
音響処理部３１は、音声入力部３０から出力された音声信号からノイズキャンセルにより雑音を除去し、音声認識部３２へ出力する。
【００４６】
音声認識部３２は、音響処理部３１から出力された音声信号を用いてユーザ音声の認識を行い、認識したユーザ音声に対応する単語（データ）を認識結果処理部３３へ出力する。音声認識部３２は、ユーザ音声を認識している間、該音声を認識している旨の信号である特別コード「００００００００１１」の信号を生成し、該信号を出力する。該信号は、認識結果処理部３３を介して、制御部１１に入力される。
【００４７】
図５は、記憶部３４に記憶されている単語と該単語に対応する制御コードとの対応関係を示す図である。
【００４８】
記憶部３４は、例えばROMで構成される。
【００４９】
記憶部３４は、図５に示すように、単語と該単語に対応する制御コードとの対応関係を表にして記憶している。詳述すると、記憶部３４は、電源のON／OFF、チャンネルの切り替え、又は音量調整等の命令の音声（単語）に予め対応付けされた制御コードを記憶している。さらに、記憶部３４は、音声認識部３２が出力した単語（データ）から、対応する制御コードを読み出せなかった（音声認識不明の）場合に使用する特別コードを記憶している。
【００５０】
認識結果処理部３３は、音声認識部３２が出力した単語（データ）に基づいて、記憶部３４に記憶されている表から、該単語に対応する制御コードを検索し、検索したコードを読み出し、該コードの信号を生成して出力する。例えば、音声認識部３２が出力した単語が「いっちゃん」であれば、認識結果処理部３３は、制御コード「１１０００００１１１」を読み出し、該制御コードの信号を生成して出力する。一方、音声認識部３２が出力した単語（データ）から、対応する制御コードを読み出せなかった場合、認識結果処理部３３は、読み出せなかった旨の信号である特別コード「０００００００１１１」の信号を生成して出力する。
【００５１】
図６は、記憶部２１に記憶されている内容を示す図である。
【００５２】
記憶部２１は、例えばROMで構成される。
【００５３】
記憶部２１は、図６の下段に示すように、エージェントプログラムと該エージェントプログラムで定義されるキャラクター３（テレビくん）とを記憶している。さらに、記憶部２１は、図６の上段に示すように、制御コード又は特別コードと、それらのコードに対応するキャラクター３の言動との対応関係を表にして記憶している。該キャラクター３の画像は、OSD画像メモリ２２に記憶されている。
【００５４】
図７は、本発明の第一の実施形態であるテレビジョンにおいて制御部が行う動作を示すフローチャートである。
【００５５】
制御部１１は、音声認識部３２が音声を認識しているか否か判定する（ｓ１）。この判定は、音声認識部３２から出力される特別コード「００００００００１１」の信号が、受信されるか否かにより判定する。特別コード「００００００００１１」の信号が受信されなければ、ｓ１に戻り処理を継続する。
【００５６】
特別コード「００００００００１１」の信号を受信すると、制御部１１は、記憶部２１に記憶されている内容からエージェントプログラムを読み出し（図６参照）、該エージェントプログラムを実行する（ｓ２）。
【００５７】
エージェントプログラムが起動すると、制御部１１は、該エージェントプログラムに従って、該エージェントプログラムで定義されるキャラクター３の画像（耳をピクピク）及び該キャラクター３の応答メッセージ（ふむふむ）をOSD表示することをOSD処理部１４に指示する（ｓ３）。
【００５８】
OSD処理部１４は、上記指示に基づいて、OSD画像メモリ２２に記憶されているキャラクター３の画像（耳をピクピク）及びキャラクター３の応答メッセージ（ふむふむ）を映像信号に重畳する。すると、図１に示すようなキャラクター３の画像（耳をピクピク）及びキャラクター３の応答メッセージ（ふむふむ）が、CRT１６Aに表示される。
【００５９】
次に、制御部１１は、電源のON／OFF、チャンネルの切り替え、又は音量調整等の命令（コマンド）が入力されたか否か判定する（ｓ４）。この判定は、認識結果処理部３３から出力される制御コードの信号が、受信されるか否かにより判定する。制御コードの信号が受信されれば、判定肯定となり、制御コードの信号ではなく特別コード「０００００００１１１」の信号が受信されれば、判定否定となる。
【００６０】
制御コードの信号を受信すると、制御部１１は、キャラクター３の画像（細長い顔）及び該キャラクター３の応答メッセージ（了解！！）をOSD表示することをOSD処理部１４に指示する（ｓ５）。
【００６１】
OSD処理部１４は、上記指示に基づいて、OSD画像メモリ２２に記憶されているキャラクター３の画像（細長い顔）及びキャラクター３の応答メッセージ（了解！！）を映像信号に重畳する。すると、図２に示すようなキャラクター３の画像（細長い顔）及びキャラクター３の応答メッセージ（了解！！）が、CRT１６Aに表示される。
【００６２】
そして、ｓ５の処理の後即、該命令を実行するための動作を装置本体各部に指示する（ｓ６）。例えば、認識結果処理部３３が出力したコードが制御コード「１１０００００１１１」であれば、制御部１１は、チャンネルを１に設定し、選択されているチャンネルが１であることをチューナ１２に指示する。
【００６３】
次に、制御部１１は、音声認識部３２が音声を認識しているか否か判定する（ｓ７）。この判定は、ｓ１と同様の判定である。音声認識部３２から出力される特別コード「００００００００１１」の信号が受信されれば、ｓ３に戻り処理を継続する。
【００６４】
音声認識部３２から出力される特別コード「００００００００１１」の信号が送信されてこなければ、制御部１１は、該特別コードの信号を最後に受信してから、一定時間以上経過したか否か判定する（ｓ８）。一定時間以上経過していないと判定すると、ｓ７に戻り処理を継続する。
【００６５】
なお、一定時間は、予め設定する時間であり、例えば１０秒である。OSD画像がテレビ番組の視聴の邪魔にならないように、一定時間経過した後消去する。
【００６６】
ｓ８において、一定時間以上経過していると判定すると、制御部１１は、エージェントプログラムを終了し（ｓ９）、本処理を終了する。
【００６７】
制御部１１は、エージェントプログラムの終了動作に従って、該エージェントプログラムに定義されるキャラクター３の画像及びキャラクター３の応答メッセージを消去させることをOSD処理部１４に指示する。
【００６８】
ＯＳＤ処理部１４は、この指示に基づいて、OSD画像メモリ２２に記憶されているキャラクター３の画像及びキャラクター３の応答メッセージを映像信号に重畳することをやめる。すると、例えば、図１〜３に示すようなキャラクター３の画像及びキャラクター３の応答メッセージが、CRT１６Aから消去される。
【００６９】
一方、ｓ４において、命令（コマンド）が入力されていないと判定すると、つまり、特別コード「０００００００１１１」の信号が受信されれば、制御部１１は、キャラクター３の画像（悩んでいる顔）及び該キャラクター３の応答メッセージ（もう一度お願い）をOSD表示することをOSD処理部１４に指示し（ｓ１０）、ｓ７に進み処理を継続する。
【００７０】
OSD処理部１４は、上記指示に基づいて、OSD画像メモリ２２に記憶されているキャラクター３の画像（悩んでいる顔）及びキャラクター３の応答メッセージ（もう一度お願い）を映像信号に重畳する。すると、図３に示すようなキャラクター３の画像（悩んでいる顔）及びキャラクター３の応答メッセージ（もう一度お願い）が、CRT１６Aに表示される。
【００７１】
以上より、ユーザ２が命令を発声している間、キャラクター３の言動により、該命令を受け付けているかどうか確認できる。従って、ユーザ２に該命令を受け付けているという安心感を与える。
【００７２】
また、ユーザ２は、表示されるキャラクター３との対話形式により、命令を発声することができる。
【００７３】
なお、上記実施形態では、キャラクター３の言動により報知しているが、キャラクター３を使わず、OSD表示、LED、又は音声により、報知しても良い。
【００７４】
OSD表示を用いた報知は、音声を認識している旨を「音声解析中」と、命令を受け付けた旨を「コマンド受付完了」又は「了解」と、又命令を受け付けることができなかった旨を「コマンド不明」又は「もう一度お願い」と、CRT１６AにOSD表示することにより行う。
【００７５】
また、LEDを用いた報知は、ユーザ２の目に付きやすいTV１の位置（例えば、CRT１６Aの上）にLEDを設ける（図１参照）。そして、音声を認識している旨を「LEDを緑色に点灯させる」ことにより、命令を受け付けた旨を「LEDを青色に点灯させる」ことにより、又命令を受け付けることができなかった旨を「LEDを赤色に点滅させる」ことにより、報知する。
【００７６】
また、音声を用いた報知は、例えば、音声を認識している旨を「音声解析中」と、命令を受け付けた旨を「コマンド受付完了」又は「了解」と、又命令を受け付けることができなかった旨を「コマンド不明」又は「もう一度お願い」と、音声により発することにより行う。該音声は、TV１内蔵の音声出力部１８から発すると良い。
【００７７】
以下、本発明の第二の実施形態であるテレビジョンについて説明する。
【００７８】
図８は、本発明の第二の実施形態であるテレビジョンの外観図、図９は、同テレビジョンの主要な構成を示すブロック図である。
【００７９】
図８及び図９のTV１０１が、図４の
TV１と構成において相違する点は、音声入力部３０を筐体外部に設けた点である。
【００８０】
図８及び図９のTV１０１の動作は、図４のTV１と共通する。
【００８１】
以下、本発明の第三の実施形態であるテレビジョンについて説明する。
【００８２】
図１０は、本発明の第三の実施形態であるテレビジョンの外観図、図１１は、同テレビジョンの主要な構成を示すブロック図である。
【００８３】
図１０及び図１１のTV２０１が、図４のTV１と構成において相違する点は、TV２０１を遠隔制御するリモコン装置１００と、該リモコン装置１００（送信部３５）からの制御コード又は特別コードを受信する受信部２３と、を設けた点である。
【００８４】
リモコン装置１００は、音声入力部３０と、音響処理部３１と、音声認識部３２と、認識結果処理部３３と、記憶部３４と、該認識結果処理部３３が出力する制御コードの信号及び特別コードの信号、並びに音声認識部３２が出力する特別コードの信号を送信する送信部３５と、を有する。
【００８５】
この実施形態においては、ユーザ２は、リモコン装置１００の音声入力部３０に音声を発声することになる。
【００８６】
ここで、TV２０１およびリモコン装置１００が、本発明の「テレビ受像機」に相当する。
【００８７】
図１０及び図１１のTV２０１の動作は、図４のTV１と共通する。
【図面の簡単な説明】
【００８８】
【図１】ユーザが命令を発声している間において該命令である音声を認識している旨の報知をキャラクターが行っている様子を表した概念図
【図２】ユーザが命令を発声し終えた時において該命令を受け付けた旨の報知をキャラクターが行っている様子を表した概念図
【図３】ユーザが命令を発声し終えた時において該命令を受け付けることができなかった旨の報知をキャラクターが行っている様子を表した概念図
【図４】本発明の第一の実施形態であるテレビジョンの主要な構成を示すブロック図
【図５】記憶部３４に記憶されている単語と該単語に対応する制御コードとの対応関係を示す図
【図６】記憶部２１に記憶されている内容を示す図
【図７】本発明の第一の実施形態であるテレビジョンにおいて制御部が行う動作を示すフローチャート
【図８】本発明の第二の実施形態であるテレビジョンの外観図
【図９】本発明の第二の実施形態であるテレビジョンの主要な構成を示すブロック図
【図１０】本発明の第三の実施形態であるテレビジョンの外観図
【図１１】本発明の第三の実施形態であるテレビジョンの主要な構成を示すブロック図
【符号の説明】
【００８９】
１−テレビジョン
２−ユーザ
３−キャラクター
１１−制御部
１２−チューナ
１３−映像／音声切替部
１４−OSD処理部
１５−映像処理部
１６−表示部
１７−音声処理部
１８−音声出力部
１９−操作部
２０−アンテナ
２１−記憶部
２２−OSD画像メモリ
２３−受信部
３０−音声入力部
３１−音響処理部
３２−音声認識部
３３−認識結果処理部
３４−記憶部
３５−送信部
１００−リモコン装置
１０１−テレビジョン
２０１−テレビジョン
【図１】
2007020079.tif 000003
【図２】
2007020079.tif 000004
【図３】
2007020079.tif 000005
【図４】
2007020079.tif 000006
【図５】
2007020079.tif 000007
【図６】
2007020079.tif 000008
【図７】
2007020079.tif 000009
【図８】
2007020079.tif 000010
【図９】
2007020079.tif 000011
【図１０】
2007020079.tif 000012
【図１１】
2007020079.tif 000013